(57)【特許請求の範囲】
【請求項１】
光ファイバの芯線を収容するフェルール本体と、
前記フェルール本体が挿入されるフェルール挿入孔と、前記光ファイバで導光される光線を屈折させるレンズ部とを有するレンズフェルールと、
を備え、
前記レンズフェルールの先端面には、該レンズフェルールを回転させて光軸を調整するチューニング治具の先端部が係止されるチューニング用係止部が設けられていることを特徴とするフェルール。
【請求項２】
前記チューニング用係止部は、前記レンズフェルールの先端面の奥行き方向に形成される複数の溝で構成されることを特徴とする請求項１に記載のフェルール。
【請求項３】
前記チューニング用係止部は、前記レンズフェルールの先端面の周縁部に形成される複数の凹凸部で構成されることを特徴とする請求項１に記載のフェルール。
【請求項４】
前記レンズフェルールの先端面には、前記光ファイバが有する芯線のコア部の中心を合わせるための調心用目印が設けられていることを特徴とする請求項１から請求項３の何れか１項に記載のフェルール。
【請求項５】
前記調心用目印は、前記レンズフェルールの先端面の周縁部に９０度ごとに形成される溝で構成されることを特徴とする請求項４に記載のフェルール。
【請求項６】
前記フェルール本体および前記レンズフェルールを収容するハウジングをさらに備え、
前記レンズフェルールと前記ハウジングとの間には、前記レンズフェルールの回転を防止する回転防止手段が設けられていることを特徴とする請求項１から請求項５の何れか１項に記載のフェルール。
【請求項７】
前記回転防止手段は、
前記レンズフェルールを構成する筒状体の端部または長手方向の途中に形成され、前記筒状体の外周より大径となる多角形状の鍔部と、
前記ハウジングに形成され、前記レンズフェルールを収容した際に、前記多角形状の鍔部と係合する係合部と、
から構成されることを特徴とする請求項６に記載のフェルール。
【請求項８】
請求項１から請求項７に何れか１項に記載のフェルールを用いた光コネクタであって、
前記ハウジングに係合可能なホルダを備え、
前記フェルール本体、前記レンズフェルールおよび両者を前記ハウジング内で加締める加締めスリーブとによってフェルール組付体が構成され、
前記ホルダおよび前記加締めスリーブには、
前記ホルダのプリセット位置では、前記ハウジング内に挿入した前記フェルール組付体を回転可能に仮保持し、前記ホルダのプリセット位置からセット位置への変位では、前記ホルダが前記フェルール組付体を挿入完了位置まで押圧し、前記ホルダのセット位置では、前記フェルール組付体が回転不能に位置決めする変移手段が設けられていることを特徴とする光コネクタ。
【請求項９】
前記変移手段は、
前記ホルダにあって、長手方向に離間して形成され、前記加締めスリーブ側に突出する第１テーパ部および第２テーパ部と、
前記加締めスリーブにあって、前記第１テーパ部と摺接する第１突起部と、前記第２テーパ部と摺接する第２突起部と、
から構成されることを特徴とする請求項８に記載の光コネクタ。
【請求項１０】
前記ホルダには、一対のロック爪が設けられ、
前記ハウジングには、前記ホルダの前記一対のロック爪が係合されるロック保持部が設けられ、
前記一対のロック爪と前記ロック保持部とは、前記ホルダのセット位置において係合されるように構成されていることを特徴とする請求項８または請求項９に記載の光コネクタ。
【発明の詳細な説明】
【技術分野】
【０００１】
本発明は、光ファイバの端部を保持するフェルールおよびそのフェルールを用いた光コネクタに関する。
【背景技術】
【０００２】
従来よりレーザ光などの光を伝達する光ファイバが光通信分野で広く用いられている。
【０００３】
このような光ファイバの端部は、筒状のフェルールにより保持され、光ファイバ同士を接続する光コネクタ等に適用されている。
【０００４】
この種のフェルールに関する技術が種々提案されている（例えば、特許文献１等）。
【０００５】
図１２および図１３に示すように、特許文献１に係るフェルールＦ１００は、フェルール本体１１６と、フェルール本体１１６の先端に嵌合するレンズキャップ１１７とを備えている。
【０００６】
そして、フェルール本体１１６は、フェルール円筒部の中心軸線に沿って光ファイバ１４の挿入穴を備えると共にフェルール円筒部の前端部に嵌合用小径部の前端面に当接する基部１２０と、基部１２０の前端面に設けた中心軸線を頂点とする凸レンズ部１２１と、基部１２０の後端部の外周から突出する嵌合用小径筒に外挿する嵌合用筒部１１３を備えている。
【０００７】
また、フェルール本体１１６の嵌合用小径部１１６ａは、レンズキャップ１１７の嵌合用筒部１１７ａに嵌合されて固着されている。
【先行技術文献】
【特許文献】
【０００８】
【特許文献１】特開２０１４−２２８８４６号公報
【発明の概要】
【発明が解決しようとする課題】
【０００９】
ところが、従来技術では、レンズ付きフェルールＦ１００のレンズ凸部１２１は、例えば金型の加工精度などにより、フェルール外径の中心には設定されない場合がある。
【００１０】
また、レンズキャップ１１７とフェルール本体１１６を固着する際に、位置ずれや角度ずれが発生する場合もある。
【００１１】
このような状態では、光ファイバからの光線が所定の場所に集光されず、例えば図１３に示すように、レンズ付きフェルールＦ１００同士をコネクタハウジング１３０内で突き合わせた状態などにおいて光損失が増加してしまうという問題がある。
【００１２】
また、外力によりレンズ付きフェルールＦ１００が回転した場合、光損失が大きく変動してしまい、通信不能となる虞があるという不都合もあった。
【００１３】
本発明は、上記課題に鑑みてなされたものであり、光損失を低減することのできるフェルールおよび光コネクタを提供することを目的とする。
【課題を解決するための手段】
【００１４】
上記目的を達成するため、請求項１に記載の発明に係るフェルールは、光ファイバの芯線を収容するフェルール本体と、前記フェルール本体が挿入されるフェルール挿入孔と、前記光ファイバで導光される光線を屈折させるレンズ部とを有するレンズフェルールと、を備え、前記レンズフェルールの先端面には、該レンズフェルールを回転させて光軸を調整するチューニング治具の先端部が係止されるチューニング用係止部が設けられていることを特徴とする。
【００１５】
請求項２に記載の発明は、請求項１に記載のフェルールにおいて、前記チューニング用係止部は、前記レンズフェルールの先端面の周縁部に形成される複数の凹凸部で構成されることを特徴とする。
【００１６】
請求項３に記載の発明は、請求項１に記載のフェルールにおいて、前記チューニング用係止部は、前記レンズフェルールの先端面の奥行き方向に形成される複数の溝で構成されることを特徴とする。
【発明の効果】
【００１７】
本発明によれば、レンズフェルールを回転させて光軸を調整することができ、光損失を低減することのできるフェルールおよび光コネクタを提供することができる。
【図面の簡単な説明】
【００１８】
【図１】実施の形態に係る光コネクタの構成例を示す概略構成図である。
【図２】チューニング治具の構成例を示す斜視図（ａ）およびその使用状態を示す説明図（ｂ）である。
【図３】第１の実施例に係るレンズフェルールが備えるチューニング用係止部の構成例を示す斜視図（ａ）および正面図（ｂ）である。
【図４】実施の形態に係る光コネクタの嵌合状態を示す断面図（ａ）および一部拡大図（ｂ）である。
【図５】第２の実施例に係るレンズフェルールが備える調心用目印の構成例を示す正面図（ａ）および側面図（ｂ）である。
【図６】第３の実施例に係る回転防止手段を備えるハウジングの構成例を示す斜視図（ａ）および正面図（ｂ）である。
【図７】第３の実施例に係る回転防止手段を備えるハウジングとレンズフェルールとの係合状態を示す断面図（ａ）および一部拡大図（ｂ）である。
【図８】第４の実施例に係る光コネクタについて、変移手段としてのテーパ部を備えるホルダの構成例を示す斜視図である。
【図９】第４の実施例に係る光コネクタについて、変移手段としての突起部を備える加締めスリーブの構成例を示す側面図である。
【図１０】ハウジングにホルダを係合させた状態を示す側面図である。
【図１１】第４の実施例に係る光コネクタについて、変移手段による変移状態を示す動作説明図（ａ）〜（ｃ）である。
【図１２】従来技術に係るフェルールの構成を示す断面図である。
【図１３】従来技術に係るレンズ付きフェルール同士をコネクタハウジング内で突き合わせた状態を示す断面図である。
【発明を実施するための形態】
【００１９】
［実施の形態に係る光コネクタ］
図１を参照して、本発明の実施の形態に係る光コネクタ１００について説明する。
【００２０】
図１は、実施の形態に係る光コネクタ１００の構成例を示す概略構成図である。
【００２１】
本実施の形態に係る光コネクタ１００は、フェルール本体（インナーフェルール）１６、レンズフェルール１７等の部材で構成される一対のフェルール組付体（フェルールアッシ）１と、フェルール組付体１のレンズフェルール１７等を収容するハウジング（コネクタハウジング）２と、一対のフェルール組付体１の位置決めを行うホルダ３とから構成されている。
【００２２】
なお、フェルール本体１６と、レンズフェルール１７との結合体をフェルールと呼ぶものとする。
【００２３】
各フェルール組付体１は、光ファイバ１１と、この光ファイバ１１の光ファイバ芯線１４の先端部が挿入される実施形態のフェルール本体１６と、光ファイバ１１の外側被覆部（二次被覆）１１ａおよび抗張力繊維線（図示せず）をフェルール本体１６に固定する加締めスリーブ１５および加締めリング１３とを備えている。
【００２４】
図１に示す光ファイバ１１は、中空タイプのものであり、光ファイバ芯線１４の外周を図示しない内側被覆部で被覆し、内側被覆部に沿って複数の抗張力繊維線と、抗張力繊維線をさらに被覆する外側被覆部１１ａとから構成されている。
【００２５】
光ファイバ芯線１４は、例えばプラスチック光ファイバ（ＰＯＦ＝Ｐｌａｓｔｉｃ  Ｏｐｔｉｃａｌ  Ｆｉｂｅｒ）等で形成される。
【００２６】
各フェルール本体１６の先端部１６ａは、各レンズフェルール１７の後端側に穿設されているフェルール挿入孔１７ａに挿入されて、接着剤等によって固定されるようになっている。
【００２７】
なお、ハウジング２、ホルダ３、加締めスリーブ１５の構成例については後述する。
【００２８】
ここで、光コネクタ１００の作製方法について説明する。
【００２９】
まず、中空光ファイバ１１をカットし、加締めリング１３および加締めスリーブ１５を先通しする。
【００３０】
次いで、二次被覆１１ａを必要な長さにわたって除去した状態で、スリット加工する。
【００３１】
次に、抗張力繊維を所定長さカットし、ファイバ芯線１４をフェルール本体１６に挿入する。
【００３２】
フェルール本体１６とファイバ芯線１４を固着し、レンズフェルール１７にファイバ付のフェルール本体１６を挿入する。
【００３３】
この際に、必要に応じてレンズフェルール１７内に屈折率整合材を注入するようにしてもよい。
【００３４】
次いで、レンズフェルール１７に対し、ファイバ芯線１４の中心位置および角度を調整して固着する。
【００３５】
二次被覆および抗張力繊維を加締めリング１３と加締めスリーブ１５の間に挟み、加締め処理をする。
【００３６】
同様の加工により、合計４つの端末加工が終わると、各端末をハウジング２に挿入し、ホルダ３を下側から嵌合させることにより、コリメートされた光コネクタ１００（図４に示す光コネクタ１００Ａ、１００Ｂ）が、完成される。
【００３７】
［第１の実施例に係るレンズフェルールについて］
図２〜図４を参照して、第１の実施例に係るレンズフェルール１７Ａ（１７Ｂ）およびチューニング治具７０について説明する。
【００３８】
図２（ａ）は、チューニング治具７０の構成例を示す斜視図、図２（ｂ）は、その使用状態を示す説明図、図３（ａ）は、第１の実施例に係るレンズフェルール１７Ａ（１７Ｂ）が備えるチューニング用係止部３１ａ等の構成例を示す斜視図、図３（ｂ）はその正面図、図４（ａ）は、光コネクタ１００Ａ、１００Ｂの嵌合状態を示す断面図、図４（ｂ）はその一部拡大図である。
【００３９】
図２（ｂ）および図３に示すように、レンズフェルール１７Ａ（１７Ｂ）の先端面３０には、このレンズフェルール１７を回転させて光軸Ｐ１（Ｐ２）を調整するチューニング治具７０の先端部７１が係止されるチューニング用係止部が設けられている。
【００４０】
より具体的には、図３（ａ）、（ｂ）に示すように、レンズフェルール１７Ａ（１７Ｂ）は、本体を構成する筒状体３３を有し、その一端側には、多角形状の鍔部２２が設けられ、他端側にはレンズ部２１Ａ（２１Ｂ）が設けられている。
【００４１】
また、前記他端側の先端面３０には、チューニング用係止部として、先端面３０の奥行き方向に形成される３つの溝３１ａ〜３１ｃが１２０度ごとに形成されている。
【００４２】
なお、図３に示すように、先端面３０には、光ファイバが有する芯線１４のコア部の中心を合わせるための調心用目印として、先端面３０の周縁部に９０度ごとに形成される溝３２ａ〜３２ｄが設けられている。
【００４３】
チューニング治具７０は、図２（ａ）に示すように、六角柱状の軸部７０ａの先端部７１には、レンズフェルール１７Ａ（１７Ｂ）の先端面３０に形成されているチューニング用係止部としての３つの溝３１ａ〜３１ｃに係合可能なツメ部７１ａ〜７１ｃが１２０度ごとに形成されている。
【００４４】
なお、図３等において、符号２０は、レンズ部２１Ａ（２１Ｂ）を保護する保護筒部である。
【００４５】
ここで、図４を参照して、光コネクタ１００Ａと光コネクタ１００Ｂとを嵌合させた場合における各レンズフェルール１７Ａ（１７Ｂ）のレンズ部２１Ａ（２１Ｂ）の光軸Ｐ１（Ｐ２）について簡単に説明する。
【００４６】
図４（ａ）に示す構成例では、一方の光コネクタ１００Ａはメス型の嵌合部６１を有するハウジング６０を備え、他方の光コネクタ１００Ｂは前記メス型の嵌合部６１に嵌合されるハウジング２を備えている。
【００４７】
そして、光コネクタ１００Ａ側のメス型の嵌合部６１に、光コネクタ１００Ｂ側のハウジング２を挿入させて嵌合させることにより、図２（ｂ）に示すように、光コネクタ１００Ａ側のレンズフェルール１７Ａのレンズ部２１Ａと、光コネクタ１００Ａ側のレンズフェルール１７Ａのレンズ部２１Ａとが近接して対向された状態で保持される。
【００４８】
この状態において、図４（ｂ）に示すレンズ部２１Ａ、２１Ｂの光軸Ｐ１、Ｐ２の位置ズレや角度誤差はできるだけ小さいことが望ましい。光軸Ｐ１、Ｐ２の位置ズレや角度誤差が比較的大きいと、光損失が大きくなり、通信不能等を生じる虞があるためである。
【００４９】
そこで、本発明では、図２（ｂ）に示すように、チューニング治具７０の先端部７１に形成されているツメ部７１ａ〜７１ｃをレンズフェルール１７Ａ（１７Ｂ）の先端面３０に形成されているチューニング用係止部としての３つの溝３１ａ〜３１ｃに係合させて、時計方向または反時計方向に所望角度回転させて、少なくとも光軸Ｐ１、Ｐ２の角度誤差を小さくすることにより、光損失を低減した光結合を行うことができるようにしている。
【００５０】
なお、本実施の形態に係る構成では、図６を参照して後述するように、レンズフェルール１７Ａ（１７Ｂ）の多角形状（図３等に示す例では、六角形）の鍔部２２が、ハウジング２に形成されている係合部２０３に係合されて、レンズフェルール１７Ａ（１７Ｂ）自体の回転が防止されるようになっている。
【００５１】
従って、レンズフェルール１７Ａ（１７Ｂ）の回転は、鍔部２２が係合部２０３に係合可能な６０度ごとの回転位置に限られる。
【００５２】
ここで、レンズフェルール１７Ａ（１７Ｂ）の回転によって、光軸Ｐ１、Ｐ２の角度誤差を低減できる仕組みについて説明する。
【００５３】
レンズフェルール１７Ｂをチューニング治具７０で回転させて調心を行う際には、例えばコネクタ１００Ｂの光ファイバ１１からの光出力をパワーメータ等でモニタリングし、光出力が最大となる角度を見つけ出す。
【００５４】
この際に、例えば図４（ａ）に示す光コネクタ１００Ａからの光線をマスター側とした場合に、光コネクタ１００Ａからの出射光もわずかに偏心している。
【００５５】
そこで、マスター側の偏心方向と合致する角度となるようにレンズフェルール１７Ｂをチューニング治具７０で回転させる調整を繰り返し、最適角度（即ち、光出力が最大となる角度）を見出すことにより光軸Ｐ１、Ｐ２の角度誤差を低減した光結合とすることができる。
【００５６】
［第２の実施例に係るレンズフェルールについて］
図５を参照して、第２の実施例に係るレンズフェルール１７Ｃについて説明する。
【００５７】
図５（ａ）は、第２の実施例に係るレンズフェルール１７Ｃが備える調心用目印の構成例を示す正面図、図５（ｂ）はその側面図である。
【００５８】
なお、第２の実施例に係るレンズフェルール１７Ｃについて、上述の第１の実施例に係るレンズフェルール１７Ａ（１７Ｂ）と同様の構成については、同一符号を付して重複した説明は省略する。
【００５９】
第２の実施例に係るレンズフェルール１７Ｃでは、レンズフェルール１７Ｃの先端面３０には、光ファイバ１４が有する芯線のコア部の中心を合わせるための調心用目印として、先端面の周縁部に９０度ごとに形成される溝３２ａ〜３２ｄが設けられている。
【００６０】
なお、図５（ａ）に示すように、調心用目印としての溝３２ｃは、第１の実施例で説明したチューニング用係止部としての溝３２ｂ内に形成されている。このように、溝３２ｃのみが他の溝３２ａ、３２ｂ、３２ｄと構成が異なるので、レンズフェルール１７Ｃを回転させる際に、この溝３２ｃを回転方向を知る目印とすることができ、調心作業の作業性が向上する。
【００６１】
そして、調心用目印としての溝３２ａと３２ｃを結ぶ仮想線Ｐ３と、調心用目印としての溝３２ｂと３２ｄを結ぶ仮想線Ｐ４との交点を目印として、光ファイバ１４が有する芯線のコア部の中心を合わせることができる。
【００６２】
より具体的には、レンズフェルール１７Ｃに対し、ファイバ付のフェルール本体（インナーフェルール）１６の調心をする工程で、調心用目印としての溝３２ａ〜３２ｄを用いることにより、位置調整が容易となり、作業性を向上させることができる。
【００６３】
例えば、接眼レンズに調心用の十字線を有する顕微鏡を用いて、レンズフェルール１７Ｃを図５（ａ）に示すような正面側から覗き、顕微鏡側の十字線と、心用目印としての溝３２ｂと３２ｄを結ぶ仮想線Ｐ４および、その交点を一致させる。そして、この状態で、ファイバ付のフェルール本体１６を所定の治具で固定し、光ファイバ１４の芯線１４のコア部中心が顕微鏡の中心（十字線の交点）と合うように治具で調整する。
【００６４】
これにより、ファイバ付のフェルール本体１６の調心を容易に行うことができる。
【００６５】
［第３の実施例に係るレンズフェルール等について］
図３、図６および図７を参照して、第３の実施例に係るレンズフェルール１７Ｄおよびハウジング２の構成例について説明する。
【００６６】
図３（ａ）は、第３の実施例に係るレンズフェルール１７Ｄの構成例を示す斜視図、図３（ｂ）はその正面図、図６（ａ）は、第３の実施例に係る回転防止手段を備えるハウジング２の構成例を示す斜視図、図６（ｂ）はその正面図、図７（ａ）は、第３の実施例に係る回転防止手段を備えるハウジング２とレンズフェルール１７Ｄとの係合状態を示す断面図、図７（ｂ）はその一部拡大図である。
【００６７】
なお、第３の実施例に係るレンズフェルール１７Ｄについて、上述の第１の実施例に係るレンズフェルール１７Ａ（１７Ｂ）と同様の構成については、同一符号を付して重複した説明は省略する。
【００６８】
図７に示すように、レンズフェルール１７Ｄとハウジング２との間には、レンズフェルール１７Ｄの回転を防止する回転防止手段が設けられている。
【００６９】
より具体的には、図３、図６および図７に示すように、回転防止手段は、レンズフェルール１７Ｄを構成する筒状体３３の端部に形成され、筒状体３３の外周より大径となる多角形状（図３に示す例では、六角形状）の鍔部２２と、ハウジング２に形成され、レンズフェルール１７Ｄを収容した際に、多角形状の鍔部２２と係合する係合部２０３とから構成されている。
【００７０】
なお、多角形状の鍔部２２は、筒状体３３の端部に限らず、筒状体３３の長手方向の途中に形成するようにしてもよい。
【００７１】
また、ハウジング２側の係合部２０３は、多角形状の鍔部２２の形状（図３に示す例では、六角形状）に合わせて、この鍔部２２が嵌まる凹部として形成されている。
【００７２】
なお、レンズフェルール１７Ｄは、ハウジング２の後端側に形成される挿通孔２０２から挿入され、係合部２０３の前方側に形成される挿入孔２０４にその先端部が挿入されるようになっている。
【００７３】
そして、上述の第１の実施例で説明したように、レンズフェルール１７Ｄを挿通孔２０２から挿入させた状態で、チューニング治具７０によりレンズフェルール１７Ｄを回転させてレンズ部２１の調心を行った後、レンズフェルール１７Ｄを挿入孔２０４に挿入し、多角形状の鍔部２２を係合部２０３に係合させる。
【００７４】
これにより、調心を完了したレンズフェルール１７Ｄの回転を防止した状態で、ハウジング２に保持することができる。
【００７５】
また、レンズフェルール１７Ｄの多角形状の鍔部２２と、ハウジング２の係合部２０３とが係合すると、例えば光ファイバ１１が捻れて回転してしまった場合や、レンズフェルール１７Ｄに外力により捻れが発生した場合でも、回転防止手段により、レンズフェルール１７Ｄの回転が抑制される（図７（ｂ）参照）。これにより、レンズ部２１の出射光が所定位置に集光され、安定した光接続が可能となる。
【００７６】
［第４の実施例に係る光コネクタについて］
図８〜図１１を参照して、第４の実施例に係る光コネクタ１００Ｃについて、変移手段としてのテーパ部３０２、３０３を備えるホルダ３の構成例および変移手段としての突起部１５ａ、１５ｂを備える加締めスリーブ１５の構成例について説明する。
【００７７】
図８は、第４の実施例に係る光コネクタ１００Ｃについて、変移手段としてのテーパ部３０２、３０３を備えるホルダ３の構成例を示す斜視図、図９は、変移手段としての突起部１５ａ、１５ｂを備える加締めスリーブ１５の構成例を示す側面図、図１０は、ハウジング２にホルダ３を係合させた状態を示す側面図、図１１（ａ）〜（ｃ）は、第４の実施例に係る光コネクタ１００Ｃについて、変移手段による変移状態を示す動作説明図である。
【００７８】
なお、上述の第１の実施例等に係るレンズフェルール１７Ａ〜１７Ｃと同様の構成については、同一符号を付して重複した説明は省略する。
【００７９】
第４の実施例に係る光コネクタ１００Ｃは、図１に示すフェルール組付体（フェルールアッシ）１を用いた光コネクタ１００Ｃであり、ハウジング２に係合可能なホルダ３を備えている。
【００８０】
また、図１０および図１１に示すように、ホルダ３は、プリセット位置からセット位置へ変移可能にハウジング２に下側から取付けられる。
【００８１】
そして、ホルダ３および加締めスリーブ１５には、ホルダ３のプリセット位置では、ハウジング２内に挿入したフェルール組付体１を回転可能に仮保持（図１１（ａ）参照）し、ホルダ３のプリセット位置からセット位置への変位では、ホルダ３がフェルール組付体１を挿入完了位置まで押圧（図１１（ｂ）参照）し、ホルダ３のセット位置では、フェルール組付体１が回転不能に位置決めする変移手段が設けられている。
【００８２】
より具体的には、変移手段は、図８に示すように、ホルダ３にあって、長手方向に離間して形成され、加締めスリーブ１５側に突出する第１テーパ部３０２および第２テーパ部３０３と、図９に示すように、加締めスリーブ１５にあって、前記第１テーパ部３０２と摺接する第１突起部１５ａと、前記第２テーパ部３０３と摺接する第２突起部１５ｂと、から構成されている。
【００８３】
これにより、第１テーパ部３０２と第１突起部１５ａとの摺接、および第２テーパ部３０３と第２突起部１５ｂとの摺接により、フェルール組付体１が二段階で長手方向の前方側に押圧して加締めることができ、レンズフェルール１７を回転可能に仮保持して調心することができるので効率的な調心作業ができると共に、最終的にフェルール組付体１を確実にハウジング２に固定することができる。
【００８４】
また、図８に示すように、ホルダ３には、一対のロック爪３０１ａ、３０１ｂが設けられ、図１０等にしめすように、ハウジング２には、前記一対のロック爪３０１ａ、３０１ｂが係合されるロック保持部２０１が設けられている。
【００８５】
そして、一対のロック爪３０１ａ、３０１ｂとロック保持部２０１とは、図１１（ｃ）に示すように、ホルダ３のセット位置において係合されるように構成されている。
【００８６】
これにより、ホルダ３によって、フェルール組付体１を確実にハウジング２に固定することができる。
【００８７】
以上、本発明のフェルールを図示の実施形態に基づいて説明したが、本発明はこれに限定されるものではなく、各部の構成は、同様の機能を有する任意の構成のものに置き換えることができる。
【符号の説明】
【００８８】
１…フェルール組付体
２…ハウジング
３…ホルダ
１１…光ファイバ
１１ａ…二次被覆（外側被覆部）
１３…加締めリング
１４…光ファイバ芯線（芯線）
１５…加締めスリーブ
１５ａ…第１突起部
１５ｂ…第２突起部
１６…フェルール本体
１６ａ…先端部
１７（１７Ａ〜１７Ｄ）…レンズフェルール
１７ａ…フェルール挿入孔
２１（２１Ａ、２１Ｂ）…レンズ部
２２…鍔部
３０…先端面
３１ａ〜３１ｃ…チューニング用係止部（溝）
３２ａ〜３２ｄ…溝（調心用目印）
３３…筒状体
６０…ハウジング
６１…嵌合部
７０…チューニング治具
７０ａ…軸部
７１…先端部
７１ａ〜７１ｃ…ツメ部
１００（１００Ａ〜１００Ｃ）…光コネクタ
２０１…ロック保持部
２０２…挿通孔
２０３…係合部
２０４…挿入孔
３０１ａ、３０１ｂ…ロック爪
３０２…第１テーパ部
３０３…第２テーパ部
【図１】
0006283338.tif 000002
【図２】
0006283338.tif 000003
【図３】
0006283338.tif 000004
【図４】
0006283338.tif 000005
【図５】
0006283338.tif 000006
【図６】
0006283338.tif 000007
【図７】
0006283338.tif 000008
【図８】
0006283338.tif 000009
【図９】
0006283338.tif 000010
【図１０】
0006283338.tif 000011
【図１１】
0006283338.tif 000012
【図１２】
0006283338.tif 000013
【図１３】
0006283338.tif 000014